(57)【要約】  【課題】  所定のプリント媒体に記録された２次元バーコードその他のアクセス情報を読み取ったときの振る舞いに多様性を持たせられること。  【解決手段】  写真プリントに記録されたアクセス情報と該アクセス情報に対応する機能との対応関係を示すテーブル情報を管理する管理データベース１６と、写真プリントのアクセス情報を読み取った携帯電話５ａ、５ｂからアクセス情報を受信するＷｅｂ通信部１１と、受信したアクセス情報に対応する機能を、管理データベース１６のテーブル情報に基づいて、サービスサーバ１０が有する複数の機能の中から特定する機能特定部１３２と、特定された機能を実行する機能実行部１３３とを備える構成にした。ＩＣタグ情報や電子透かし情報にも適用できる。【選択図】  図１
2006013918.tif 000002
【特許請求の範囲】
【請求項１】
複数の機能を有し、所定のプリント媒体に記録されたアクセス情報を読み取る通信端末からネットワークを介してアクセスを受けるサービスサーバにおいて、
前記アクセス情報と該アクセス情報に対応する機能との対応関係を示すテーブル情報を管理するデータベースと、
前記通信端末から前記アクセス情報を受信する通信手段と、
受信したアクセス情報に対応する機能を前記テーブル情報に基づいて前記複数の機能の中から特定する機能特定手段と、
特定された機能を実行する機能実行手段と、
を備えたことを特徴とするサービスサーバ。
【請求項２】
前記複数の機能は、前記通信端末で実行されるアプリケーションプログラムと連携して行う前記通信端末へ音ファイルをダウンロードする機能、通話により音声を出力可能なＣＴＩ（Computer Telephony Integration）サーバに電話をかけさせて音声を聞かせるのに必要な情報を前記通信端末に送信する機能、前記通信端末に直接的に音ファイルをダウンロードする機能、及び、音ファイルをダウンロード可能なサイトのＵＲＬ（Uniform Resource Locator）を記述した情報を前記通信端末に送信する機能のいずれかの機能を含むことを特徴とする請求項１に記載のサービスサーバ。
【請求項３】
前記複数の機能は、前記通信端末からコンテンツをアップロードさせる機能、前記通信端末にコンテンツをダウンロードする機能、前記通信端末にアプリケーションプログラムをダウンロードする機能、及び、特定のサイトへジャンプする機能のいずれかの機能を含むことを特徴とする請求項１に記載のサービスサーバ。
【請求項４】
前記アクセス情報は、２次元バーコードその他のバーコード、ＩＣタグに記録された情報、又は、前記プリント媒体上の画像に電子透かしで埋め込まれた情報である請求項１乃至請求項３のいずれかに記載のサービスサーバ。
【発明の詳細な説明】
【技術分野】
【０００１】
本発明はサービスサーバに係り、特にネットワークを介して通信端末からアクセスを受けるサービスサーバに関する。
【背景技術】
【０００２】
従来、ＱＲコード（登録商標）などの２次元バーコードを用紙に印刷しておき、この用紙に印刷された２次元バーコードを読み取らせると、インターネット上の情報を取得して表示するようにした携帯電話が知られている（特許文献１を参照）。
【０００３】
例えば、インターネット上のサーバには商品の機能などを紹介した広告情報を予め登録しておき、一般ユーザには２次元バーコードを印刷した広告媒体を配布する。ここで、２次元バーコードは、サーバに登録した広告情報を取得するためのＵＲＬ（Uniform Resource Locator）が所定の形式で符号化されたものである。一般ユーザが携帯電話に２次元バーコードを読み取らせると、携帯電話により２次元バーコードが復号化されて、その結果（ＵＲＬ）が携帯電話の画面に表示される。ここで、一般ユーザが携帯電話で通信を許可する操作を行うと、携帯電話の画面に表示されたＵＲＬを用いて携帯電話がサーバにアクセスし、サーバからダウンロードした広告情報が携帯電話の画面に表示される。
【０００４】
ところで、ユーザが撮影した画像を印刷した写真プリントは見て楽しいものであるが、そのような画像を見る楽しみだけではなく、ネットワークを利用したもっと別な楽しみ方も提供することができれば、愉快であり、写真プリントの利用促進や通信の利用促進を達成することにより産業の発達にも寄与することができる。
【特許文献１】特開２００２−１１８６８０号公報
【発明の開示】
【発明が解決しようとする課題】
【０００５】
２次元バーコードをユーザの携帯電話に読み取らせたときのその携帯電話の振る舞いは、一般に、一定である。
【０００６】
例えば、ある用紙には、インターネット上の第１のサイトにアクセスするためのＵＲＬを符号化した第１の２次元バーコードを印刷しておき、別の用紙には、インターネット上の第２のサイトにアクセスするためのＵＲＬを符号化した第２の２次元バーコードを印刷しておく。ここで、第１の２次元バーコードを携帯電話に読み取らせてその携帯電話が第１のサイトにアクセスした場合と、第２の２次元バーコードを携帯電話に読み取らせてその携帯電話が第２のサイトにアクセスした場合とでは、それぞれのサイトで予め用意した異なる情報が携帯電話に表示されるけれども、各サイトが提供する情報が表示されるという振る舞いの点においては同じであり、多様性に欠けている。
【０００７】
本発明はこのような事情に鑑みてなされたもので、所定のプリント媒体に記録されたアクセス情報を読み取ったときの振る舞いに多様性を持たせることができるサービスサーバを提供することを目的とする。
【課題を解決するための手段】
【０００８】
前記目的を達成するために、請求項１に記載の発明は、複数の機能を有し、所定のプリント媒体に記録されたアクセス情報を読み取る通信端末からネットワークを介してアクセスを受けるサービスサーバにおいて、前記アクセス情報と該アクセス情報に対応する機能との対応関係を示すテーブル情報を管理するデータベースと、前記通信端末から前記アクセス情報を受信する通信手段と、受信したアクセス情報に対応する機能を前記テーブル情報に基づいて前記複数の機能の中から特定する機能特定手段と、特定された機能を実行する機能実行手段を備えた構成となっている。
【０００９】
前記複数の機能は、請求項２に記載のように、前記通信端末で実行されるアプリケーションプログラムと連携して行う前記通信端末へ音ファイルをダウンロードする機能、通話により音声を出力可能なＣＴＩ（Computer Telephony Integration）サーバに電話をかけさせて音声を聞かせるのに必要な情報を前記通信端末に送信する機能、前記通信端末に直接的に音ファイルをダウンロードする機能、及び、音ファイルをダウンロード可能なサイトのＵＲＬ（Uniform Resource Locator）を記述した情報を前記通信端末に送信する機能のいずれかの機能を含む。
【００１０】
あるいは、前記複数の機能は、請求項３に記載のように、前記通信端末からコンテンツをアップロードさせる機能、前記通信端末にコンテンツをダウンロードする機能、前記通信端末にアプリケーションプログラムをダウンロードする機能、及び、特定のサイトへジャンプする機能のいずれかの機能を含む。
【００１１】
また、前記アクセス情報は、請求項４に記載のように、２次元バーコードその他のバーコード、ＩＣタグに記録された情報、又は、前記プリント媒体上の画像に電子透かしで埋め込まれた情報である。
【発明の効果】
【００１２】
本発明によれば、所定のプリント媒体に記録されたアクセス情報を読み取った通信端末からアクセスを受けたときのサービスサーバの通信端末に対する振る舞いに多様性を持たせることができる。
【発明を実施するための最良の形態】
【００１３】
以下、添付図面に従って、本発明を実施するための最良の形態について詳細に説明する。
【００１４】
図１は、本発明を適用したサービスサーバ１を含むサービスシステムの概略機能構成図である。このシステムは、主として、サービスサーバ１、プリンタ２、ＣＴＩ（Computer Telephony Integration）サーバ３、ユーザのパーソナルコンピュータ（以下単に「ＰＣ」という）４、及び、ユーザの携帯電話５（５ａ、５ｂ）がネットワーク９に接続されてなる。なお、携帯電話５は、基地局８を介してネットワーク９に接続されている。
【００１５】
サービスサーバ１は、プリント注文ユーザのＰＣ４及び携帯電話５ａから写真プリント作成の注文を受け付けるプリントサービス、プリント注文ユーザのＰＣ４及び携帯電話５ａからプリント対象の画像に関連するデジタルコンテンツ（以下単に「コンテンツ」という）のアップロードを受け付けて所定期間の保管を行うとともに携帯電話５に対してコンテンツのダウンロードを行うコンテンツ登録サービス、その他の各種のサービスを行うものである。
【００１６】
サービスサーバ１は、主として、Ｗｅｂ通信部１１、制御部１２、画面情報作成部１２１、注文受付部１２２、ＩＤ発行部１２３、アクセス情報作成部１２４、プリント指示情報作成部１２５、課金処理部１２６、登録部１２７、検索部１２８、端末判定部１３１、機能特定部１３２、機能実行部１３３、コンテンツＤＢ（データベース）１４、メタデータＤＢ（データベース）１５、及び、管理ＤＢ（データベース）１６によって構成されている。
【００１７】
Ｗｅｂ通信部１１は、ネットワーク９を介して、そのネットワーク９に接続されたプリンタ２、ＣＴＩサーバ３、ＰＣ４、及び、携帯電話５と通信するものである。
【００１８】
画面情報作成部１２１は、ＰＣ４や携帯電話５で表示される画面情報を作成する。
【００１９】
注文受付部１２２は、注文ユーザの携帯電話５ａ及びＰＣ４から写真プリントサービス及びコンテンツ登録サービスの注文を受け付ける。具体的には、画面情報作成部１２１により作成された携帯電話５ａ（又はＰＣ４）で注文操作をさせるための画面情報をＷｅｂ通信部１１により携帯電話５ａ（又はＰＣ４）に送信するとともに、この携帯電話５ａ（又はＰＣ４）からプリントサービス及びコンテンツ登録サービスの注文情報をＷｅｂ通信部１１により受信する。
【００２０】
ＩＤ発行部１２３は、コンテンツを識別する識別情報ＩＤを発行する。また、ＩＤ発行部１２３は、発行した識別情報ＩＤをサービスサーバ１の各機能と関連付けて、管理ＤＢ１６のＩＤテーブル情報に登録する。
【００２１】
アクセス情報作成部１２４は、サービスサーバ１に、携帯電話５ａ、５ｂからネットワーク９を介してアクセスするのに必要な２次元バーコード（「２次元コード」ともいう）を作成する。この２次元バーコードには、サービスサーバ１と通信するのに必要なプロトコル名（一般には「http」）と、サービスサーバ１のドメイン名と、識別情報ＩＤとが符号化されて埋め込まれる。以下、説明を簡略にするため、２次元バーコードは、ＱＲコードを例に説明するが、マキシコード、データマトリクス、ＰＤＦ４１７等を用いてもよい。
【００２２】
プリント指示情報作成部１２５は、プリンタ２に対して写真プリント作成を指示する情報（プリント指示情報）を作成する。このプリント指示情報には、注文ユーザの携帯電話５ａ（又はＰＣ４）からアップロードされたプリント対象のユーザの画像、ユーザの画像とともに用紙に記録されるテンプレート情報及び２次元バーコードが含まれる。
【００２３】
課金処理部１２６は、プリントサービスに対する課金とコンテンツ登録サービスに対する課金とに分類してサービスの利用料金に関する課金処理を行う。
【００２４】
端末判定部１３１は、写真プリント２６上の２次元バーコードを携帯電話５が読み取ってアクセスしてきたとき、携帯電話５で実行可能な機能を判定する。
【００２５】
機能特定部１３２は、携帯電話５ａ、５ｂから受信したアクセス情報に対応する機能を、後述の管理ＤＢ１６に記憶されたＩＤテーブル情報に基づいて、サービスサーバ１が有する複数の機能の中から特定する。
【００２６】
機能実行部１３３は、機能特定部１３２によって特定された機能を実行する。
【００２７】
コンテンツＤＢ１４は、コンテンツを記憶するものである。コンテンツとしては、音情報、テキスト情報、画像、Flash（商標）の形式で作成されたベクタグラフィックスのマルチメディアコンテンツ、などがある。
【００２８】
メタデータＤＢ１５は、各コンテンツのメタデータを各コンテンツと関連付けて記憶するものである。メタデータには、コンテンツの再生条件（再生有効期限、再生可能回数など）、コンテンツの更新条件（更新タイミング）、コンテンツの再生に必要なアプリケーションプログラムをダウンロード可能なネットワーク９上のサイトのＵＲＬ、などがある。
【００２９】
管理ＤＢ１６は、注文情報を記憶する。また、管理ＤＢ１６は、識別情報ＩＤと起動すべき機能との対応関係を示すＩＤテーブル情報を記憶する。
【００３０】
登録部１２７は、コンテンツをコンテンツＤＢ１４に登録する。また、メタデータをメタデータＤＢ１５に登録する。また、注文情報を管理ＤＢ１６に登録する。また、ＩＤ発行部１２３で発行された識別情報ＩＤを機能と関連付けて管理ＤＢ１６に登録する。
【００３１】
検索部１２８は、コンテンツＤＢ１４に登録されたコンテンツの中から所望のコンテンツを識別情報ＩＤに基づいて検索する。また、メタデータＤＢ１５に登録されたメタデータの中から所望のコンテンツに関連付けられたメタデータを識別情報ＩＤに基づいて検索する。
【００３２】
プリンタ２は、サービスサーバ１から受信したプリント指示情報に従って、図２に示すような写真プリント２６を作成する。図２の写真プリント２６には、ＱＲコード（登録商標）と呼ばれる２次元バーコード２７が、プリント対象の画像２８とともに印刷されている。
【００３３】
ＣＴＩサーバ３は、コンピュータの情報処理機能と電話交換機の通信機能を統合したサービスを提供するためのサーバである。本実施形態では、サービスサーバ１と連携し、携帯電話５ａ、５ｂの通話機能を利用して音情報（コンテンツの一種である）のアップロード及びダウンロードを行うために用いられる。
【００３４】
ＣＴＩサーバ３は主として、通信部３１、録音部３２、音再生部３４、及び、音ＤＢ（データベース）３３によって構成されている。ＣＴＩサーバ３の通信部３１は、ネットワークを介してサービスサーバ１と通信する。また、ＣＴＩサーバ３の通信部３１は、携帯電話５その他の電話機との間で通話機能を利用した通信を行う。この通信部３１には所定の電話番号が付与されている。ＣＴＩサーバ３の録音部３２は、携帯電話５その他の電話機からＣＴＩサーバ３の通信部３１の電話番号に着信した通話音声を録音する。なお、録音した通話音声はサービスサーバ１から通知された識別情報ＩＤと関連付けられて通話音声ファイルとして音ＤＢ３３に登録される。音再生部３４は、サービスサーバ１から通知された識別情報ＩＤに基づいて通話音声ファイルを音ＤＢ３３から検索し、通話音声を再生して、ＣＴＩサーバ３の通信部３１の電話番号に対して発信した携帯電話５その他の電話機にその通話音声を送信する。
【００３５】
ＰＣ４はＷｅｂブラウザ４１を備えており、キーボードやマウスなどで構成される操作部４３から入力されたＵＲＬで特定されるＷｅｂページの送信をサービスサーバ１に要求し、受信したＷｅｂページを表示部４２に表示する。
【００３６】
携帯電話５（５ａ、５ｂ）は、２次元バーコードを撮影して復号化し、その復号結果に基づいてネットワーク９を通じてサービスサーバ１にアクセスするようになっている。
【００３７】
携帯電話５の一例の具体的なブロック図を図３に示す。図３において、携帯電話５は、主として、カメラ５１、マイクロホン５２、スピーカ５３、液晶ディスプレイ（ＬＣＤ）５４、操作パネル５５、位置検出部５６、無線通信部５７、不揮発性メモリ５８、及び、制御部５９を含んで構成されている。カメラ５１は、被写体の撮影に用いられるほかに、２次元バーコードの読取にも用いられる。マイクロホン５２は、通話に用いられるほかに、コンテンツのひとつである音情報の入力にも用いられる。スピーカ５３は、通話に用いられるほかに、コンテンツのひとつである音情報の出力にも用いられる。液晶ディスプレイ５４は、撮影した画像の表示、電子メールの表示、及び、各種の操作画面の表示に用いられるほかに、テキスト情報、動画像情報、その他のコンテンツの出力にも用いられる。操作パネル５５は、電話番号の入力、及び、電子メールの内容の入力に用いられるほかに、コンテンツのひとつであるテキスト情報の入力にも用いられる。位置検出部５６は、ＧＰＳ（Global Positioning System）を利用して携帯電話５の現在位置を検出する。無線通信部５７は、基地局８を介してＣＴＩサーバ３と通信したり、ネットワーク９上のサービスサーバ１、その他の通信機器と通信するものである。不揮発性メモリ５８は、２次元バーコードの読取とその２次元バーコードに対応した機能の起動を行うアプリケーションプログラムを記憶する。また、不揮発性メモリ５８は、サービスサーバ１から受信したコンテンツ及びメタデータを保存する。また、不揮発性メモリ５８は、携帯端末５のユーザエージェントを記憶する。制御部５９は、プログラムを実行して、携帯電話５の各部を制御する。
【００３８】
なお、図１においてはユーザの通信端末としてプリント注文ユーザのＰＣ４及び携帯電話５ａと写真プリントの配布先ユーザの携帯電話５ｂのみを図示したが、実際には多数の通信端末がネットワーク９に接続される。
【００３９】
図４は、サービスサーバ１が有する多様な機能を示す説明図である。第１に、サービスサーバ１は、携帯電話５からコンテンツをアップロードさせる機能を有する。第２に、サービスサーバ１は、携帯電話５にコンテンツをダウンロードする機能を有する。第３に、サービスサーバ１は、携帯電話５で実行されるアプリケーションプログラムを携帯電話５にダウンロードする機能を有する。第４に、サービスサーバ１は、ＣＴＩサーバ３に電話をかけさせて音声を入力するのに必要な情報、又は、ＣＴＩサーバ３に電話をかけさせて音声を聞かせるのに必要な情報を携帯電話５に送信する機能を有する。第５に、サービスサーバ１は、所定のコンテンツのダウンロードが可能な関連サイトへジャンプするための関連サイトのＵＲＬが記述された情報を携帯電話５に送信する機能を有する。なお、図４を用いて紹介したサービスサーバ１の機能は例示であって、これら以外にも多様な機能を有している。
【００４０】
図５は、２次元バーコードに符号化されるアクセス情報の構成例を示す。図５（ａ）において、アクセス情報２７１０には、プロトコル名（一般に「http」を用いる）、サービスサーバ１のドメイン名、及び、識別情報ＩＤが含まれる。図５（ｂ）は、携帯電話５がサービスサーバ１にアクセスする際に携帯電話５がサービスサーバ１に送信するＨＴＴＰリクエスト２７２０を示す。このＨＴＴＰリクエスト２７２０は、図５（ａ）のアクセス情報２７１０にヘッダを付加したものである。ヘッダにはユーザエージェント（ＵＡ）が記述されている。このユーザエージェント（ＵＡ）は、キャリアの識別子、携帯電話５の機種の識別子を含む。
【００４１】
図６は、管理ＤＢ１６で管理されるＩＤテーブル情報１６０の例を示す。ＩＤテーブル情報１６０は、アクセス情報に含まれる識別情報ＩＤと、サービスサーバ１で実行されるべき機能との対応関係を記載したものである。図６においては、各識別情報ＩＤにファンクションコードが関連付けされてＩＤテーブル情報１６０が形成されている。
【００４２】
次に、第１実施形態のサービス処理の流れについて主として図７及び図８を用いて説明する。
【００４３】
図７において、プリントサービス及び登録サービスの注文ユーザは、携帯電話５ａを用いて、被写体を撮影するとともに（Ｓ１０１）、プリントサービスの注文操作（Ｓ１０２）、登録サービスの注文操作（Ｓ１０３）、及び、機能指定操作（Ｓ１０４）を行って、注文情報のアップロードを行う（Ｓ１０５）。あるいは、図示を省略したデジタルカメラにより被写体を撮影し（Ｓ１０１）、そのデジタルカメラで撮影した画像を取得したＰＣ４により、プリントサービスの注文操作（Ｓ１０２）、登録サービスの注文操作（Ｓ１０３）、及び、機能指定操作（Ｓ１０４）を行って、注文情報のアップロードを行う（Ｓ１０５）。
【００４４】
プリントサービスの注文操作（Ｓ１０２）は、具体的には、撮影して得られた複数枚の静止画像の中からプリントすべき静止画像を選択し、必要に応じて、写真プリントのサイズや枚数などを入力する。動画像を撮影した場合には、その動画像からプリント対象の静止画像を抽出するようにしてもよい。また、写真プリントの引渡方法を指定する。例えば、写真店などの特定の受け渡し場所へ直接行って受け取る場合には、その受け渡し場所を指定する。また、例えば、配布先を指定して郵便や宅配便などによる配送を依頼する場合には、その配布先を指定する。この場合、写真プリントは包装されて所望の配布先に配送される。また、ポストカードはそのポストカードそのものが所望の配布先に配送されるように依頼することも可能である。
【００４５】
登録サービスの注文操作（Ｓ１０３）は、例えば、プリント対象の静止画像と、この静止画像に対して撮影後に付加した音情報及びテキスト情報とをコンテンツＤＢ１４に登録するように要求することが可能である。また、動画像から抽出した静止画像がプリント対象である場合には、抽出した静止画像と、静止画像の抽出元である動画像と、動画像と同時に記録した音情報と、動画像の撮影後に入力したテキスト情報とをコンテンツＤＢ１４に登録するように要求することが可能である。
【００４６】
機能指定操作（Ｓ１０４）は、例えば、携帯電話５にコンテンツをダウンロードする機能をサービスサーバ１に起動させる写真プリント（「再生用写真プリント」ともいう）を作成するのか、あるいは、携帯電話５からコンテンツをアップロードさせる機能をサービスサーバ１に起動させる写真プリント（「登録用写真プリント」ともいう）を作成するのかを指定する。「再生用写真プリント」は、例えば、友人に配布して友人の携帯電話５ｂに２次元バーコードを読み取らせたとき、その携帯電話５ｂに対して２次元バーコードに対応するコンテンツがサービスサーバ１からダウンロードされて、その携帯電話５ｂでコンテンツが再生される。「登録用写真プリント」は、例えば、プリント注文ユーザが自分で保持して、自分の携帯電話５ａに２次元バーコードを読み取らせたとき、その携帯電話５ａに対してアップロード操作用の画面情報がサービスサーバ１から送信されて、その画面上でコンテンツのアップロード操作を行うと、携帯電話５ａからサービスサーバ１に対してコンテンツがアップロードされ、そのコンテンツをサービスサーバ１がコンテンツＤＢ１４に登録する。
【００４７】
なお、機能指定操作（Ｓ１０４）は、プリント枚数の指定操作と同時に行わせるようにしてもよい。例えば、「再生用写真プリント」を何枚作成するとともに「登録用写真プリント」を何枚作成するというように指定操作を行う。
【００４８】
サービスサーバ１に対してアップロードされる注文情報には、プリント対象の画像、コンテンツＤＢ１４に登録するコンテンツ（音情報、テキスト情報、画像等）、機能指定情報（どの機能を起動する２次元バーコードを記録するかを示す）、及び、写真プリントの引渡情報が含まれる。
【００４９】
なお、コンテンツのアップロードは、プリント対象の画像のアップロードと同時に行わなくても、プリント対象の画像のアップロード後に行うことも可能になっている。また、一旦アップロードしてコンテンツＤＢ１４に登録されたコンテンツを変更することも、コンテンツを追加して登録することも可能になっている。これらのプリント注文後に行うコンテンツのアップロードは、「登録用写真プリント」を用いて行う。
【００５０】
注文情報のアップロードを受け付けたサービスサーバ１は、プリント対象の各画像に対応して識別情報ＩＤを発行する（Ｓ１１１）。
【００５１】
ここで、識別情報ＩＤは、携帯電話５にダウンロードされるコンテンツの識別に用いられる。この識別情報ＩＤは、コンテンツと１対１で対応する場合と、ひとつの識別情報ＩＤがグループ化された複数枚のコンテンツに対応する場合とがある。また、識別情報ＩＤは、機能指定情報に基づいて作成され、機能の識別にも用いられる。具体的には、同一のプリント対象画像を用いて「再生用写真プリント」と「登録用写真プリント」とを作成する場合、「再生用写真プリント」と「登録用写真プリント」とで互いに異なる識別情報ＩＤを発行する。
【００５２】
次に、サービスサーバ１は、プロトコル名、サービスサーバ１のドメイン名、及び、識別情報ＩＤを含むアクセス情報を作成する（Ｓ１１２）。本実施形態では、アクセス情報を２次元バーコードに符号化する。
【００５３】
次に、サービスサーバ１は、携帯電話５ａ又はＰＣ４からアップロードされたコンテンツ（プリント対象の画像を含む）をコンテンツＤＢ１４に登録するとともに、機能指定情報及び引渡情報を識別情報ＩＤと関連付けて管理ＤＢ１６に登録する（Ｓ１１３）。また、ＩＤテーブル情報には、識別情報ＩＤが、その識別情報ＩＤを含む２次元バーコードを携帯電話５で読み取ったときにサービスサーバ１で起動される機能と関連付けられて登録される。図６のＩＤテーブル情報１６０の場合には、識別情報ＩＤにファンクションコードが関連付けられて登録される。
【００５４】
プリント対象の画像及びアクセス情報がサービスサーバ１からプリンタ２に送信されて（Ｓ１１４）、プリンタ２により「登録用写真プリント」２６ａ及び「再生用写真プリント」２６ｂが作成される（Ｓ１１５）。ここで、アクセス情報は、２次元バーコード２７ａ、２７ｂとして、プリント対象の画像２８とともに同一のプリント媒体に印刷される。サービスサーバ１は、プリントサービスに対する課金と、登録サービスに対する課金とに分けて、課金処理を行う（Ｓ１１６）。
【００５５】
次に、携帯電話５に写真プリント上の２次元バーコードを読み取らせて、その２次元バーコードに対応する機能をサービスサーバ１に実行させる際の処理の流れについて、図８を用いて説明する。
【００５６】
第１に、「再生用写真プリント」２６ｂの場合について説明する。この「再生用写真プリント」２６ｂの配布先のユーザの携帯電話５ｂで所定のアプリケーションプログラムを起動して（Ｓ１２１）、その携帯電話５ｂに「再生用写真プリント」２６ｂ上の２次元バーコード２７ｂを読み取らせると（Ｓ１２２）、その携帯電話５ｂは２次元バーコード２７ｂを復号して得たアクセス情報（識別情報ＩＤを含む）をサービスサーバ１に対して送信する（Ｓ１２３）。このアクセス情報には、携帯電話５ｂによってヘッダが付加され、ＨＴＴＰリクエストパケットとしてサービスサーバ１に送信される。付加されたヘッダには、キャリア名、携帯電話５ｂの機種名、その他のユーザエージェント（ＵＡ）が記述される。
【００５７】
携帯電話５ｂからアクセス情報を受信したサービスサーバ１は、アクセス情報内の識別情報ＩＤに対応する機能（ここでコンテンツのダウンロード機能である）を管理ＤＢ１６で管理されたＩＤテーブル情報に基づいて特定し（Ｓ１２４）、さらに、携帯電話５ｂがコンテンツＤＢ１４に登録されているコンテンツを再生可能な端末であるか否かをユーザエージェント（ＵＡ）に基づいて判定して（Ｓ１２５）、再生可能と判定した場合には、識別情報ＩＤに対応するコンテンツをコンテンツＤＢ１４から検索して（Ｓ１２６）、アクセス元の携帯電話５ｂに対して識別情報ＩＤに対応するコンテンツをダウンロードする（Ｓ１２７）。ダウンロードされたコンテンツは携帯電話５ｂにおいて再生される（Ｓ１２８）。
【００５８】
第２に、「登録用写真プリント」２６ａの場合について説明する。この「登録用写真プリント」２６ａの配布先であるプリント注文ユーザの携帯電話５ａで所定のアプリケーションプログラムを起動して（Ｓ１４１）、その携帯電話５ａに「登録用写真プリント」２６ａ上の２次元バーコード２７ａを読み取らせると（Ｓ１４２）、その携帯電話５ａは２次元バーコードを復号して得たアクセス情報（識別情報ＩＤを含む）をサービスサーバ１に対して送信する（Ｓ１４３）。このアクセス情報には、携帯電話５ａによってヘッダが付加され、ＨＴＴＰリクエストパケットとしてサービスサーバ１に送信される。このパケットのヘッダには携帯電話５ｂによってユーザエージェント（ＵＡ）が記述される。
【００５９】
携帯電話５ａからアクセス情報を受信したサービスサーバ１は、アクセス情報内の識別情報ＩＤに対応する機能（ここでコンテンツのアップロード機能である）を管理ＤＢ１６で管理されたＩＤテーブル情報に基づいて特定し（Ｓ１４４）、さらに、携帯電話５ａがコンテンツＤＢ１４に登録するコンテンツをネットワーク９を介してアップロード可能な端末であるか否かをユーザエージェント（ＵＡ）に基づいて判定して（Ｓ１４５）、ネットワーク９を介してアップロード可能と判定した場合には、携帯電話５ａでアップロード操作を行わせる画面情報を作成して（Ｓ１４６）、その画面情報を携帯電話５ａに対して送信する（Ｓ１４７）。携帯電話５ａでアップロード操作が行われて（Ｓ１４８）、携帯電話５ａからサービスサーバ１に対してコンテンツがアップロードされると（Ｓ１４９）、サービスサーバ１は、アップロードされたコンテンツをコンテンツＤＢ１４に登録する（Ｓ１５０）。
【００６０】
その後、「再生用写真プリント」２６ｂの配布先のユーザの携帯電話５ｂで所定のアプリケーションプログラムを起動して（Ｓ１６１）、その携帯電話５ｂに「再生用写真プリント」２６ｂ上の２次元バーコード２７ｂを読み取らせると（Ｓ１６２）、その携帯電話５ｂは２次元バーコード２７ｂを復号して得たアクセス情報（識別情報ＩＤを含む）をサービスサーバ１に対して送信する（Ｓ１６３）。このアクセス情報は、ヘッダを付加したＨＴＴＰリクエストパケットとしてサービスサーバ１に送信される。このパケットのヘッダには携帯電話５ｂによってユーザエージェント（ＵＡ）が記載される。
【００６１】
携帯電話５ｂからアクセス情報を受信したサービスサーバ１は、アクセス情報内の識別情報ＩＤに対応する機能（ここでコンテンツのダウンロード機能である）を管理ＤＢ１６で管理されたＩＤテーブル情報に基づいて特定し（Ｓ１６４）、さらに、携帯電話５ｂがコンテンツＤＢ１４に登録されているコンテンツを再生可能であるか否かをユーザエージェント（ＵＡ）に基づいて判定して（Ｓ１６５）、再生可能と判定した場合には、識別情報ＩＤに対応する更新済みのコンテンツをコンテンツＤＢ１４から検索して（Ｓ１６６）、アクセス元の携帯電話５ｂに対して識別情報ＩＤに対応する更新済みのコンテンツをダウンロードする（Ｓ１６７）。ダウンロードされた更新済みのコンテンツは携帯電話５ｂにおいて再生される（Ｓ１６８）。
【００６２】
第１実施形態のサービスサーバ１におけるアクセス情報受信時の処理の流れの概略を図９に示す。この処理の各ステップは所定のプログラムに従ってサービスサーバ１の制御部１２によって実行される。なお、コンテンツは音情報であるものとして以下説明する。
【００６３】
なお、第１実施形態において、図６に示すＩＤテーブル情報１６０には、機能を識別するファンクションコードがコンテンツを識別する識別情報ＩＤに関連付けられている。例えば、第１のファンクションコード「ｆ１」はコンテンツのアップロード機能、第２のファンクションコード「ｆ２」はコンテンツのダウンロード機能、第３のファンクションコード「ｆ３」はアプリケーションプログラムのダウンロード機能、第４のファンクションコード「ｆ４」は特定のサイトにジャンプする機能を示す。
【００６４】
図９において、携帯電話５からアクセス情報を受信すると（Ｓ２０１）、アクセス情報から識別情報ＩＤを抽出し（Ｓ２０２）、抽出した識別情報ＩＤ及びＩＤテーブル情報に基づいて機能を特定する（Ｓ２０３）。
【００６５】
アップロード機能に対応する識別情報ＩＤである場合には、ユーザエージェント（ＵＡ）に基づいて、アクセス元の携帯電話５が所定のファイル形式で音ファイルをアップロード可能な端末であるか否かを判定し（Ｓ２１１）、所定のファイル形式で音ファイルをアップロード可能な端末である場合には、アップロード操作用の画面情報を作成して（Ｓ２１２）、その画面情報を携帯電話５に送信すると（Ｓ２１３）、アクセス元の携帯電話５から音情報が所定の形式の音ファイルでアップロードされてくるのでその音ファイルを受信して（Ｓ２１４）、コンテンツＤＢ１４に識別情報ＩＤと関連付けて登録する（Ｓ２１５）。また、所定のファイル形式で音ファイルをアップロード可能な端末でない場合には、ＣＴＩサーバ３に対して録音予約処理を行って（Ｓ２１６）、録音発信用の電話番号と録音予約番号とを記載した画面情報を作成して（Ｓ２１７）、その画面情報を携帯電話５に送信する（Ｓ２１８）。携帯電話５は、受信した画面情報を表示し、ユーザは表示された録音発信用の電話番号及び録音予約番号を用いてＣＴＩサーバ３に発信し、携帯電話５の通話機能を利用して、携帯電話５で入力した通話音声をＣＴＩサーバ３に送信して音情報として登録する。
【００６６】
一方で、ダウンロード機能に対応する識別情報ＩＤである場合には、ユーザエージェント（ＵＡ）に基づいて、アクセス元の携帯電話５が所定のファイル形式の音ファイルを再生可能な端末であるか否かを判定し（Ｓ２２１）、所定のファイル形式の音ファイルを再生可能な端末である場合には、識別情報ＩＤに基づいてコンテンツＤＢ１４から音ファイルを検索し（Ｓ２２２）、検索した音ファイルをアクセス元の携帯電話５に送信する（Ｓ２２４）。また、所定のファイル形式の音ファイルを再生可能な端末でない場合には、再生発信用の電話番号と再生確認番号とを記載した画面情報を作成して（Ｓ２２６）、その画面情報を携帯電話５に送信する（Ｓ２１７）。携帯電話５は、受信した画面情報を表示し、ユーザは表示された再生発信用の電話番号及び再生確認番号を用いてＣＴＩサーバ３に発信し、携帯電話５の通話機能を利用してＣＴＩサーバ３から通話音声で音情報を取得して出力する。
【００６７】
なお、その他機能であった場合（例えば、携帯電話５で実行すべきアプリケーションプログラムをダウンロードする機能や、特定サイトへジャンプする機能であった場合）には、その特定された機能を実行する（Ｓ２３０）。
【００６８】
第２実施形態におけるサービスサーバ１のアクセス情報受信時の処理の流れの概略を図１０に示す。この処理の各ステップは所定のプログラムに従ってサービスサーバ１の制御部１２によって実行される。
【００６９】
第２実施形態では、音情報（コンテンツの一種である）のダウンロードに関する複数の機能の中から特定の機能を実行する場合について説明する。
【００７０】
なお、第２実施形態において、図６に示すＩＤテーブル情報１６０には、機能を識別するファンクションコードがコンテンツを識別する識別情報ＩＤに関連付けられている。例えば、第１のファンクションコード「ｆ１」は「アプリ方式」のダウンロード機能、第２のファンクションコード「ｆ２」は「ＣＴＩ方式」のダウンロード機能、第３のファンクションコード「ｆ３」は「ダイレクト方式」のダウンロード機能、第４のファンクションコード「ｆ４」は「間接方式」のダウンロード機能を示す。
【００７１】
図１０において、携帯電話５からアクセス情報を受信すると（Ｓ３０１）、アクセス情報から識別情報ＩＤを抽出し（Ｓ３０２）、抽出した識別情報ＩＤ及びＩＤテーブル情報に基づいて機能を特定する（Ｓ３０３）。
【００７２】
識別情報ＩＤに対応する再生属性（図６ではファンクションコード）が「アプリ方式」のダウンロード機能である場合には、所定のダウンロードサイトへ誘導する（Ｓ３１１）。例えば、所定のダウンロードサイトにアクセスするための画面情報を携帯電話５に送信する。アプリケーションプログラムが携帯電話５にダウンロードされてアプリケーションプログラムが再起動されると、再び、携帯電話５からアクセス情報を送信してくるので、そこで、識別情報ＩＤに基づいてコンテンツＤＢ１４から音ファイルを検索し（Ｓ３１２）、音ファイルを送信する（Ｓ３１３）。
【００７３】
識別情報ＩＤに対応する再生属性が「ＣＴＩ方式」のダウンロード機能である場合には、再生発信用の電話番号と再生確認番号とを記載した画面情報を作成して（Ｓ３２１）、その画面情報を携帯電話５に送信する（Ｓ３２２）。携帯電話５は、受信した画面情報を表示し、ユーザは表示された再生発信用の電話番号及び再生確認番号を用いてＣＴＩサーバ３に発信し、携帯電話５の通話機能を利用してＣＴＩサーバ３から通話音声で音情報を取得して出力する。
【００７４】
識別情報ＩＤに対応する再生属性が「ダイレクト方式」のダウンロード機能である場合には、識別情報ＩＤに基づいてコンテンツＤＢ１４から音ファイルを検索し（Ｓ３３１）、音ファイルを送信する（Ｓ３３２）。
【００７５】
識別情報ＩＤに対応する再生属性が「間接方式」のダウンロード機能である場合には、音ファイルをダウンロードするためのＵＲＬが記述された画面情報を作成し（Ｓ３４１）、その画面情報を携帯電話５に送信する（Ｓ３４２）。
【００７６】
以上の説明において、図２に示すようにひとつの写真プリント２６にひとつの２次元バーコード２７が印刷された場合を例に説明したが、本発明はこれに限るものではなく、図１１に示すように、ひとつの写真プリント２６に複数の２次元バーコード２７ａ、２７ｂ、２７ｃ、２７ｄを印刷するようにしてもよい。
【００７７】
図１１において、第１の２次元バーコード２７ａは、サービスサーバ１から音情報をダウンロードして携帯電話５に再生させたい場合に携帯電話５に読み取らせるもの、第２の２次元バーコード２７ｂは、サービスサーバ１に携帯電話５から音情報をアップロードさせたい場合に携帯電話５に読み取らせるもの、第３の２次元バーコード２７ｃは、特定のサイトのＷｅｂページにジャンプさせたい場合に携帯電話５に読み取らせるもの、第４の２次元バーコード２７ｄは、メタデータに記述された関連サイトのＷｅｂページにジャンプさせたい場合に携帯電話５に読み取らせるものである。
【００７８】
図１１に示すように複数種類の２次元バーコードを印刷した写真プリントを作成する場合、例えば、サービスの注文操作を行うステップ（図７のＳ１０２乃至Ｓ１０４）において、注文ユーザがサービスサーバ１の複数の機能の中から所望の機能を選択する。
【００７９】
例えば、音情報のアップロード機能と、音情報のダウンロード機能とを選択する。そうすると、音情報のアップロードと音情報のダウンロードとが可能なマルチファンクションの写真プリントが作成される。また、例えば、音情報のダウンロード機能と特定サイトアクセス機能と関連サイトアクセス機能とを選択する。そうすると、音情報のアップロードはできないが、音情報のダウンロードと、特定サイトアクセスと、関連サイトアクセスとを起動可能なマルチファンクションの写真プリントが作成される。
【００８０】
以上の説明において、アクセス情報を２次元バーコードに符号化して写真プリント２６に記録した場合を例に説明したが、本発明はこれに限らず、用紙に形成されたＩＣタグにアクセス情報を書き込むことによりプリント媒体にアクセス情報を記録してもよい。この場合、プリンタ２には、ＩＣタグ（ＲＦＩＤ：Radio Frequency Identificationともいう）に情報を無線で書き込むための無線書込手段を設ける。また、携帯電話には、ＩＣタグから情報を無線で読み取るための無線読取手段が設けられる。また、写真プリント２６の画像２８に電子透かし情報として埋め込んで記録するようにしてもよい。この場合、携帯電話は、電子透かし情報を読み取る機能を有する。
【００８１】
また、通信端末は、携帯電話に限らず、ＰＤＡ（Personal Digital Assistants）、その他の通信端末を用いてもよい。
【００８２】
その他、本発明は、図で示した例や実施形態として説明した例に限定されるものではなく、本発明の要旨に従って適宜設計変更や改良を施して実施してよいことはもちろんである。
【図面の簡単な説明】
【００８３】
【図１】本発明を適用した携帯電話を含むシステムの全体構成図
【図２】写真プリントの一例を示す図
【図３】携帯電話の具体的な構成を示す概略ブロック図
【図４】サービスサーバの多様な機能の説明に用いる説明図
【図５】アクセス情報の内容の説明に用いる説明図
【図６】アクセス情報と機能との対応関係を示すテーブル情報の例を示す説明図
【図７】第１実施形態におけるサービス処理の全体の流れの概略を示す第１の説明図
【図８】第１実施形態におけるサービス処理の全体の流れの概略を示す第２の説明図
【図９】第１実施形態におけるサービスサーバにおける処理の流れの概略を示すフローチャート
【図１０】第２実施形態におけるサービスサーバにおける処理の流れの概略を示すフローチャート
【図１１】写真プリントの他の例を示す図
【符号の説明】
【００８４】
１…サービスサーバ、２…プリンタ、３…ＣＴＩサービスサーバ、４…パーソナルコンピュータ（ＰＣ）、５（５ａ、５ｂ）…携帯電話、９…ネットワーク、１１…Ｗｅｂ通信部、１２…制御部、１４…コンテンツＤＢ、１５…メタデータＤＢ、１６…管理ＤＢ、１２１…画面情報作成部、１２２…注文受付部、１２３…ＩＤ発行部、１２４…アクセス情報作成部、１２５…プリント指示情報作成部、１２６…課金処理部、１２７…登録部、１２８…検索部、１３１…端末判定部、１３２…機能判定部、１３２…端末判定部、１３３…機能実行部
【図１】
2006013918.tif 000003
【図２】
2006013918.tif 000004
【図３】
2006013918.tif 000005
【図４】
2006013918.tif 000006
【図５】
2006013918.tif 000007
【図６】
2006013918.tif 000008
【図７】
2006013918.tif 000009
【図８】
2006013918.tif 000010
【図９】
2006013918.tif 000011
【図１０】
2006013918.tif 000012
【図１１】
2006013918.tif 000013